(57)【特許請求の範囲】
【請求項１】
ケーシング２０とエンドキャップ２１より成るハウジング２２内に軸２３とともにシリンダブロック２４を回転自在に支承し、このシリンダブロック２４のシリンダ孔２５内にピストン２６を嵌挿してピストン室２７を形成し、このピストン２６を斜板２９に沿って摺動自在とし、
前記シリンダブロック２４とエンドキャップ２１との間に弁板３０を設け、軸２３とともにシリンダブロック２４を回転することで弁板３０の入口ポート３１からピストン室２７に油を吸い込み、そのピストン室２７に吸い込んだ油を弁板３０の出口ポート３２から吐出するアキシャルピストンポンプにおいて、
前記ケーシング２０に吸い込みポート３４を形成し、エンドキャップ２１に油流入用凹陥部５３を形成してケーシング２０内の油を油流入用凹陥部５３を経て弁板３０の入口ポート３１よりピストン室２７内に吸い込むようにし、
前記ケーシング２０におけるシリンダブロック２４が回転自在に収納される部分の内周面に整流部を設けてケーシング２４内の油がシリンダブロック回転方向と同一方向の流れとなって油流入用凹陥部５３に流れるようにしたことを特徴とするアキシャルピストンポンプ。
【請求項２】
ケーシング２０におけるシリンダブロック２４が回転自在に収納される部分の内周面に整流突部４６を設け、この整流突部４６をシリンダブロック２４の軸方向ほぼ全長に亘る長さでシリンダブロック２４軸心と平行に対して斜めとし、かつ油流入用凹陥部５３と対向させた請求項１記載のアキシャルピストンポンプ。
【請求項３】
エンドキャップ２１に形成した油流入用凹陥部５３を、弁板３０の入口ポート３１と対向した油流出部５４と、この油流出部５４を弁板３０の外周面３０ａよりも外側に開口する油導入部５５を有し、その油導入部５５は油流出部５４よりもシリンダブロック回転方向と反対方向にずれているものとした請求項１又は２記載のアキシャルピストンポンプ。
【発明の詳細な説明】
【０００１】
【発明の属する技術分野】
本発明は、建設機械の油圧アクチュエータなどに圧油を供給するアキシャルピストンポンプに関する。
【０００２】
【従来の技術】
アキシャルピストンポンプは原動機により回転されて油を吸い込み、その吸い込んだ油を吐出するものである。
例えば、図１に示すようにケーシング１とエンドキャップ２から成るハウジング３内にシリンダブロック４を軸５とともに回転自在に支承し、このシリンダブロック４の複数のシリンダ孔６内にピストン７を嵌挿してピストン室８を構成し、その各ピストン７を斜板９に摺動自在に押しつけ、シリンダブロック４とエンドキャップ２との間に弁板１０を設け、この弁板１０に形成したほぼ半円形の入口ポート１１を吸い込みポート１２に連通し、ほぼ半円形の出口ポート１３を吐出ポート１４に連通したアキシャルピストンポンプが知られている。
【０００３】
このアキシャルピストンポンプは軸５を原動機により回転することでシリンダブロック４が回転し、ピストン７が斜板９に沿って摺動することでピストン７が往復動し、ピストン室８内に吸い込みポート１２、入口ポート１１から油を吸い込み、そのピストン室８内に吸い込んだ油を出口ポート１３から吐出ポート１４に吐出する。
なお、図１において入口ポート１１、吸い込みポート１２と出口ポート１３、吐出ポート１４は実際に紙面と直交する方向に形成してあるので、仮想線で示してある。
【０００４】
【発明が解決しようとする課題】
前述のアキシャルピストンポンプにおいては吸い込みポート１２をエンドキャップ２に形成してあるので、その吸い込みポート１２の通路形状を流れの損失が無くなるようにすることが可能である。これにより、ピストン室８内に油をスムーズに吸い込むことができ、吸い込み性能を達成することができる。
【０００５】
前述のアキシャルピストンポンプにおいてはピストン室８内の油が各摺動部から漏れ、その漏れた油はケーシング１内に溜る。
【０００６】
このために、ケーシング１に漏れ油排出用の配管を接続してケーシング１内に溜った油を排出しているので、吸い込み配管と吐出配管と漏れ油排出用の配管が必要であるから配管が面倒であるし、広い配管スペースが必要となる。
【０００７】
このことを解消するには、ケーシング１に吸い込みポートを形成し、ケーシング１内の漏れ油ととも油を入口ポート１１から吸い込むようにして漏れ油排出用の配管と吸い込み配管を兼用とすれば良い。
【０００８】
しかしながら、ケーシング１内の油はシリンダブロック４の回転によって撹拌され乱流状態となり、その乱流状態の油を吸い込みポート１１から吸い込むので、その吸い込みポート部の圧力損失が増大してピストン室８内にスムーズに吸い込みできないから吸い込み性能を悪化させていた。
【０００９】
そこで、本発明は前述の課題を解決できるようにしたアキシャルピストンポンプを提供することを目的とする。
【００１０】
【課題を解決するための手段及び作用・効果】
第１の発明は、ケーシング２０とエンドキャップ２１より成るハウジング２２内に軸２３とともにシリンダブロック２４を回転自在に支承し、このシリンダブロック２４のシリンダ孔２５内にピストン２６を嵌挿してピストン室２７を形成し、このピストン２６を斜板２９に沿って摺動自在とし、
前記シリンダブロック２４とエンドキャップ２１との間に弁板３０を設け、軸２３とともにシリンダブロック２４を回転することで弁板３０の入口ポート３１からピストン室２７に油を吸い込み、そのピストン室２７に吸い込んだ油を弁板３０の出口ポート３２から吐出するアキシャルピストンポンプにおいて、
前記ケーシング２０に吸い込みポート３４を形成し、エンドキャップ２１に油流入用凹陥部５３を形成してケーシング２０内の油を油流入用凹陥部５３を経て弁板３０の入口ポート３１よりピストン室２７内に吸い込むようにし、
前記ケーシング２０におけるシリンダブロック２４が回転自在に収納される部分の内周面に整流部を設けてケーシング２４内の油がシリンダブロック回転方向と同一方向の流れとなって油流入用凹陥部５３に流れるようにしたことを特徴とするアキシャルピストンポンプである。
【００１１】
第１の発明によれば、シリンダブロック２４の回転によってケーシング２０内の油がシリンダブロック回転方向に流れて整流部に衝突し、その整流部によってシリンダブロック回転方向と同方向の流れとなってエンドキャップ２１の油流入用凹陥部５３に流れ、弁板３０の入口ポート３１よりピストン室２７に吸い込まれる。
【００１２】
これにより、弁板３０の入口ポート３１に流入する油はシリンダブロック回転方向と同一方向の流れを有し、急な絶対速度の変化がな少なく、その部分の圧力損失が低減し、吸い込み性能が向上する。
【００１３】
したがって、ケーシング２０に吸い込みポートを形成したアキシャルピストンポンプの吸い込み性能を向上できる。
【００１４】
第２の発明は、第１の発明におけるケーシング２０におけるシリンダブロック２４が回転自在に収納される部分の内周面に整流突部４６を設け、この整流突部４６をシリンダブロック２４の軸方向ほぼ全長に亘る長さでシリンダブロック２４軸心と平行に対して斜めとし、かつ油流入用凹陥部５３と対向させたアキシャルピストンポンプである。
【００１５】
第２の発明によれば、シリンダブロック回転方向に流れた油は整流突部４６に衝突し、その整流突部４６に沿って油流入用凹陥部５３に向けて流れるから、油流入用凹陥部５３に流れた油はシリンダブロック回転方向と同一方向の流れを有し、吸い込み性能が向上する。
【００１６】
第３の発明は、第１又は第２の発明におけるエンドキャップ２１に形成した油流入用凹陥部５３を、弁板３０の入口ポート３１と対向した油流出部５４と、この油流出部５４を弁板３０の外周面３０ａよりも外側に開口する油導入部５５を有し、その油導入部５５は油流出部５４よりもシリンダブロック回転方向と反対方向にずれているものとしたアキシャルピストンポンプである。
【００１７】
第３の発明によれば、油流入用凹陥部５３の油流出部５４には油導入部５５より油が流れ込むし、その油導入部５５は油流出部５４よりもシリンダブロック回転方向と反対方向にずれているから、その油流入用凹陥部５３自体を流れる油もシリンダブロック回転方向と同一方向の流れが生じるので、より一層吸い込み性能が向上する。
【００１８】
【発明の実施の形態】
図２と図３に示すように、ケーシング２０とエンドキャップ２１とでハウジング２２とし、このハウジング２２内に軸２３とともにシリンダブロック２４が回転自在に支承してある。このシリンダブロック２４の複数のシリンダ孔２５内にピストン２６を嵌挿してピストン室２７を形成し、その各ピストン２６をピストンシュー２８を介して斜板２９に沿って摺動自在としてある。
【００１９】
前記エンドキャップ２１とシリンダブロック２４との間に弁板３０が設けてあり、この弁板３０にはほぼ半円形の入口ポート３１とほぼ半円形の出口ポート３２が形成してある。この入口ポート３１がケーシング２０内に連通し、出口ポート３２がエンドキャップ２１の吐出ポート３３に連通している。前記ケーシング２０には吸い込みポート３４が形成してある。
【００２０】
前記ケーシング２０は図４と図５に示すように、エンドキャップ取付面４０に開口したほぼ断面円形のシリンダブロック収納凹部４１と、このシリンダブロック収納凹部４１をエンドキャップ取付面４０と反対側の軸挿入面４２に開口する軸挿入孔４３を有し、ケーシング２０のエンドキャップ取付面４０と直交した一側面４４に吸い込み口３４がシリンダブロック収納凹部４１に開口して形成してある。この吸い込み口３４におけるエンドキャップ取付面４０寄りの一部分は切り欠きされ、この切り欠き部分４５によってエンドキャップ取付面４０方向の油流れをスムーズとしている。
【００２１】
前記シリンダブロック収納凹部４１の内面４１ａには整流部、例えば整流突部４６が一体的に設けてある。この整流突部４６はシリンダブロック２４の軸方向略全長に亘って設けてあり、その一端部４６ａはシリンダブロック収納凹部４１の中心４１ｂ（シリンダブロック回転中心）とほぼ同一高さで、他端部４６ｂは吸い込みポート３４の開口縁とほぼ同一高さであって、この整流突部４６はシリンダブロック収納凹部４１の軸心と平行に対して一端部４６ａ（奥側）が高く、他端部４６ｂ（開口側）が低くなるように斜めとなっている。
【００２２】
前記エンドキャップ２１の外周寄り部分５０がケーシング２０の開口縁に嵌合して連結され、このエンドキャップ２１の中央部に軸支承孔５１がシリンダブロック回転中心と同心状に形成され、この軸支承孔５１の中心５１ａとほぼ同心状の凹部５２が形成してあり、この凹部５２の中心寄りに形成した弁板取付用凹部５２ｂに弁板３０が回転不能に接し、シリンダブロック２４の弁板３０に回転可能に摺接した一端部が凹部５２に突出している。
【００２３】
図６，図７，図８に示すように、前記凹部５２におけるケーシング２０の吸い込みポート３１と対向した部分に油流入用凹陥部５３が形成してある。この油流入用凹陥部５３は弁板３０の入口ポート３１と対向したほぼ半円形溝状の油流出部５４と、この油流出部５４と連続して油流出部５４をエンドキャップ２２の凹部５２外周寄りに開口する油導入部５５より成る。
【００２４】
前記油導入部５５におけるシリンダブロック回転方向（矢印ａ）と反対方向の一端寄り部５５ａは軸支承穴５１の中心５１ａ（シリンダブロック回転中心）近くで、かつ凹部５２の外周縁まで達しており、開口部５５の他端寄り部５５ｂには整流突部５６が設けられて弁板３０の外周面３０ａよりも内側となっている。
【００２５】
つまり、エンドキャップに形成した油流入用凹陥部５３は弁板３０の入口ポート３１と対向した油流出部５４と、この油流出部５４を弁板３０の外周面３０ａよりも外側に開口する油導入部５５を有し、その油導入部５５は油流出部５４よりもシリンダブロック回転方向と反対方向にずれている。
【００２６】
エンドキャップ２１をケーシング２０に取付けると、ケーシング２０の整流突部４６の他端部４６ｂが油導入部５５の一端寄り部５５ａと対向し、整流突部５６と連続するようにしてある。
【００２７】
次に油の吸い込み動作を説明する。
前記シリンダブロック２４は図４で矢印ａ方向に回転し、ケーシング２０内（シリンダブロック収納凹部４１内）の油はシリンダブロック２４の回転方向（矢印ａ方向）に向けて流れるように撹拌されるが、その油は整流突部４６に衝突し、その整流突部４６によって撹拌が整流されると共に、整流突部４６に沿ってエンドキャップ２１の油流入用凹陥部５３に向けて流れ、その油流入用凹陥部５３から弁板３０の入口ポート３１を経てピストン室２７内に吸い込みされる。
【００２８】
これによってケーシング２０内の油は、シリンダブロック２４の回転方向と同方向の流れとなってエンドキャップ２１の油流入用凹陥部５３に流れ込むので、その油とシリンダブロック２４との間に生じる急な絶対速度の変化が少なくなり、その入口ポート３１部分の圧力損失が低減し、油はピストン室２７内にスムーズに吸い込みされるので、吸い込み性能を向上させることができる。
【００２９】
すなわち、弁板３０の入口ポート３１部分からシリンダブロック２４のピストン室２７に流れ込むときに、シリンダブロック２４の回転方向と同方向の回転成分を、予め油の流れに与えてやることで、急な絶対速度の変化を少なくすることができ、その部分の圧力損失を低減し、その結果吸い込み性能を向上させることができる。
【００３０】
また、エンドキャップ２１の油流入用凹陥部５３の油導入部５５はシリンダブロック回転方向と反対方向にずれているから、その油導入部５５より油流出部５４に回転方向に向けて流れるから、弁板３０の入口ポート３１に流れ込む油とシリンダブロック２４との急な絶対速度の変化が著しく少なくなり、吸い込み性能をより向上させることができる。
【００３１】
以上の実施の形態ではケーシング２０の整流突部４６、エンドキャップ２１の整流突部５６を一体としたが、別体として製作して固着するようにしても良い。
【図面の簡単な説明】
【図１】従来のアキシャルピストンポンプの断面図である。
【図２】本発明の実施の形態を示すアキシャルピストンポンプの縦断面図である。
【図３】本発明の実施の形態を示すアキシャルピストンポンプの横断面図である。
【図４】ケーシングの正面図である。
【図５】図４のＡ−Ａの断面図である。
【図６】エンドキャップの正面図である。
【図７】図６のＢ−Ｂ断面図である。
【図８】図６のＣ−Ｃ断面図である。
【符号の説明】
１…ケーシング
２…エンドキャップ
４…シリンダブロック
１２…吸い込みポート
２０…ケーシング
２１…エンドキャップ
２２…ハウジング
２４…シリンダブロック
２６…ピストン
２７…ピストン室
３０…弁板
３１…入口ポート
３４…吸い込みポート
４６…整流突起
５３…油流入用凹陥部
５４…油流出部
５５…油導入部。
【図１】
0003753199.tif 000002
【図２】
0003753199.tif 000003
【図３】
0003753199.tif 000004
【図４】
0003753199.tif 000005
【図５】
0003753199.tif 000006
【図６】
0003753199.tif 000007
【図７】
0003753199.tif 000008
【図８】
0003753199.tif 000009